(57)【特許請求の範囲】
【請求項１】
複数のセンサの位置をそれぞれ示す複数のアイコンを画面に表示する予定である場合に、前記画面における各前記アイコンの重なり度合いまたは密集度を評価する評価部と、
前記評価部による評価内容に応じて前記各アイコンをまとめた別のアイコンである補助アイコンを前記画面に表示する制御を行う表示制御部とを備え、
前記表示制御部は、前記各アイコンが示す前記センサの位置関係に応じて異なる種類の前記補助アイコンを前記画面に表示する制御を行う、画面情報処理装置。
【請求項２】
前記画面情報処理装置は、さらに、
前記センサの計測結果を示すセンサ情報を取得する取得部を備え、
前記表示制御部は、前記画面において前記アイコンが指定された場合に前記アイコンに対応する前記センサ情報を前記画面に表示する制御を行う、請求項１に記載の画面情報処理装置。
【請求項３】
前記表示制御部は、まとめた前記アイコンの数を付した前記補助アイコンを表示する制御を行う、請求項１または請求項２に記載の画面情報処理装置。
【請求項４】
前記表示制御部は、前記画面において前記補助アイコンが指定された場合に、前記補助アイコンに対応する各前記センサの配置エリアの拡大図を対応の各前記アイコンとともに表示する制御を行う、請求項１から請求項３のいずれか１項に記載の画面情報処理装置。
【請求項５】
前記表示制御部は、各前記センサの配置エリアの平面図が表示された前記画面において前記補助アイコンが指定された場合に、前記補助アイコンに対応する各前記センサの配置エリアの側面図を対応の各前記アイコンとともに表示する制御を行う、請求項１から請求項４のいずれか１項に記載の画面情報処理装置。
【請求項６】
前記表示制御部は、前記画面において前記補助アイコンが指定された場合に、前記補助アイコンに対応する各前記センサの情報のリストを表示する制御を行う、請求項１から請求項５のいずれか１項に記載の画面情報処理装置。
【請求項７】
前記センサの種類は複数存在し、
前記表示制御部は、前記画面において指定された種類の前記センサに対応する前記アイコンを選択的に表示するか、または選択的に表示しない制御を行う、請求項２に記載の画面情報処理装置。
【請求項８】
画面情報処理装置における画面情報処理方法であって、
複数のセンサの位置をそれぞれ示す複数のアイコンを画面に表示する予定である場合に、前記画面における各前記アイコンの重なり度合いまたは密集度を評価するステップと、
前記重なり度合いまたは前記密集度の評価内容に応じて前記各アイコンをまとめた別のアイコンである補助アイコンを前記画面に表示する制御を行うステップとを含み、
前記制御を行うステップにおいて、前記各アイコンが示す前記センサの位置関係に応じて異なる種類の前記補助アイコンを前記画面に表示する制御を行う、画面情報処理方法。
【請求項９】
画面情報処理装置において用いられる画面情報処理プログラムであって、コンピュータに、
複数のセンサの位置をそれぞれ示す複数のアイコンを画面に表示する予定である場合に、前記画面における各前記アイコンの重なり度合いまたは密集度を評価するステップと、
前記重なり度合いまたは前記密集度の評価内容に応じて前記各アイコンをまとめた別のアイコンである補助アイコンを前記画面に表示する制御を行うステップとを実行させるための、画面情報処理プログラムであり、
前記制御を行うステップにおいて、前記各アイコンが示す前記センサの位置関係に応じて異なる種類の前記補助アイコンを前記画面に表示する制御を行う、画面情報処理プログラム。
【発明の詳細な説明】
【技術分野】
【０００１】
本発明は、画面情報処理装置、画面情報処理方法および画面情報処理プログラムに関し、特に、アイコンの表示を行う画面情報処理装置、画面情報処理方法および画面情報処理プログラムに関する。
【背景技術】
【０００２】
所定エリアにおける監視対象の状態をモニタするための技術が各種開発されている。たとえば、特開２００６−２０８０００号公報（特許文献１）には、以下のような技術が開示されている。すなわち、空気流分配装置は、データセンタ内で使用する空気流分配装置であって、前記データセンタ内の少なくとも１つのサーバにおける複数のファンに結合されている少なくとも１つの空気流センサと、前記少なくとも１つの空気流センサに結合されるとともに、前記複数のファンについて空気流を監視するとともに、検知された空気流に応じて前記データセンタ内での冷却を制御するように構成されるコントローラとを備えることを特徴とする。
【先行技術文献】
【特許文献】
【０００３】
【特許文献１】特開２００６−２０８０００号公報
【発明の概要】
【発明が解決しようとする課題】
【０００４】
所定エリアにおける監視対象の状態をモニタするために、当該所定エリアにおけるセンサの配置を画面に表示する場合がある。このような場合において、複数のセンサが集中して配置されていると、当該複数のセンサをそれぞれ示す複数のアイコンが画面上で重なり合ったり、密集したりするため、視認性が悪くなってしまう。
【０００５】
この発明は、上述の課題を解決するためになされたもので、その目的は、所定エリアにおけるセンサを示すアイコンを画面に表示する構成において、視認性を向上させることが可能な画面情報処理装置、画面情報処理方法および画面情報処理プログラムを提供することである。
【課題を解決するための手段】
【０００６】
（１）上記課題を解決するために、この発明のある局面に係る画面情報処理装置は、複数のセンサの位置をそれぞれ示す複数のアイコンを画面に表示する予定である場合に、前記画面における各前記アイコンの重なり度合いまたは密集度を評価する評価部と、前記評価部による評価内容に応じて前記各アイコンをまとめた別のアイコンである補助アイコンを前記画面に表示する制御を行う表示制御部とを備える。
【０００７】
（８）上記課題を解決するために、この発明のある局面に係る画面情報処理方法は、画面情報処理装置における画面情報処理方法であって、複数のセンサの位置をそれぞれ示す複数のアイコンを画面に表示する予定である場合に、前記画面における各前記アイコンの重なり度合いまたは密集度を評価するステップと、前記重なり度合いまたは前記密集度の評価内容に応じて前記各アイコンをまとめた別のアイコンである補助アイコンを前記画面に表示する制御を行うステップとを含む。
【０００８】
（９）上記課題を解決するために、この発明のある局面に係る画面情報処理プログラムは、画面情報処理装置において用いられる画面情報処理プログラムであって、コンピュータに、複数のセンサの位置をそれぞれ示す複数のアイコンを画面に表示する予定である場合に、前記画面における各前記アイコンの重なり度合いまたは密集度を評価するステップと、前記重なり度合いまたは前記密集度の評価内容に応じて前記各アイコンをまとめた別のアイコンである補助アイコンを前記画面に表示する制御を行うステップとを実行させるためのプログラムである。
【発明の効果】
【０００９】
本発明によれば、所定エリアにおけるセンサの位置を示すアイコンを画面に表示する構成において、視認性を向上させることができる。
【図面の簡単な説明】
【００１０】
【図１】図１は、本発明の第１の実施の形態に係る監視システムの構成を示す図である。
【図２】図２は、本発明の第１の実施の形態に係る監視システムの比較例において、ディスプレイに表示された画面の一例を示す図である。
【図３】図３は、本発明の第１の実施の形態に係る監視システムにおいて、ディスプレイに表示された画面の一例を示す図である。
【図４】図４は、本発明の第１の実施の形態に係る監視システムにおいて、ディスプレイに表示された画面の他の例を示す図である。
【図５】図５は、本発明の第１の実施の形態に係る監視システムにおいて、ディスプレイに表示された画面の他の例を示す図である。
【図６】図６は、本発明の第１の実施の形態に係る監視システムにおいて、ディスプレイに表示された画面の他の例を示す図である。
【図７】図７は、本発明の第１の実施の形態に係る監視システムにおいて、ディスプレイに表示された画面の他の例を示す図である。
【図８】図８は、本発明の第１の実施の形態に係る監視システムにおいて、ディスプレイに表示された画面の他の例を示す図である。
【図９】図９は、本発明の第１の実施の形態に係る監視システムにおける画面情報処理装置の構成を示す図である。
【図１０】図１０は、本発明の第１の実施の形態に係る画面情報処理装置による表示処理の一例を示すフローチャートである。
【図１１】図１１は、本発明の第１の実施の形態に係る画面情報処理装置による表示処理の他の例を示すフローチャートである。
【図１２】図１２は、本発明の第２の実施の形態に係る監視システムにおいて、ディスプレイに表示された画面の一例を示す図である。
【図１３】図１３は、本発明の第２の実施の形態に係る画面情報処理装置の構成を示す図である。
【図１４】図１４は、本発明の第３の実施の形態に係る監視システムの比較例において、ディスプレイに表示された画面の一例を示す図である。
【図１５】図１５は、本発明の第３の実施の形態に係る監視システムにおいて、ディスプレイに表示された画面の一例を示す図である。
【発明を実施するための形態】
【００１１】
最初に、本発明の実施の形態の内容を列記して説明する。
【００１２】
（１）本発明の実施の形態に係る画面情報処理装置は、複数のセンサの位置をそれぞれ示す複数のアイコンを画面に表示する予定である場合に、前記画面における各前記アイコンの重なり度合いまたは密集度を評価する評価部と、前記評価部による評価内容に応じて前記各アイコンをまとめた別のアイコンである補助アイコンを前記画面に表示する制御を行う表示制御部とを備える。
【００１３】
このような構成により、たとえば、所定エリアにおける複数のセンサが集中して配置されるような場合に、当該所定エリアを示す画面において集中する複数のアイコンをまとめて別のアイコンとして表示することができる。これにより、たとえば、アイコン同士が重ならないように表示したり、アイコン同士の距離をある程度確保したりすることができる。したがって、所定エリアにおけるセンサの位置を示すアイコンを画面に表示する構成において、視認性を向上させることができる。
【００１４】
（２）好ましくは、前記画面情報処理装置は、さらに、前記センサの計測結果を示すセンサ情報を取得する取得部を備え、前記表示制御部は、前記画面において前記アイコンが指定された場合に前記アイコンに対応する前記センサ情報を前記画面に表示する制御を行う。
【００１５】
このような構成により、ユーザは、所望するセンサのセンサ情報を容易に確認することができる。
【００１６】
（３）好ましくは、前記表示制御部は、まとめた前記アイコンの数を付した前記補助アイコンを表示する制御を行う。
【００１７】
このような構成により、ユーザは、どれくらいの数のアイコンが補助アイコンにまとめられたのかを特別な操作を行うことなく一見して認識することができる。
【００１８】
（４）好ましくは、前記表示制御部は、前記画面において前記補助アイコンが指定された場合に、前記補助アイコンに対応する各前記センサの配置エリアの拡大図を対応の各前記アイコンとともに表示する制御を行う。
【００１９】
このような構成により、ユーザは、補助アイコンにまとめられた各アイコンを上記拡大図において確認することができるため、各アイコンの詳細な位置を認識することができる。
【００２０】
（５）好ましくは、前記表示制御部は、各前記センサの配置エリアの平面図が表示された前記画面において前記補助アイコンが指定された場合に、前記補助アイコンに対応する各前記センサの配置エリアの側面図を対応の各前記アイコンとともに表示する制御を行う。
【００２１】
このような構成により、たとえば、水平方向において略同じ位置に、かつ高さ方向において異なる位置に配置されている複数のセンサに対応するアイコンが補助アイコンにまとめられているような場合において、ユーザは、補助アイコンにまとめられた各アイコンを上記側面図において確認することができるため、各アイコンの詳細な位置を認識することができる。
【００２２】
（６）好ましくは、前記表示制御部は、前記画面において前記補助アイコンが指定された場合に、前記補助アイコンに対応する各前記センサの情報のリストを表示する制御を行う。
【００２３】
このような構成により、ユーザは、補助アイコンに対応する複数のセンサに関する情報を一覧することができる。
【００２４】
（７）より好ましくは、前記センサの種類は複数存在し、前記表示制御部は、前記画面において指定された種類の前記センサに対応する前記アイコンを選択的に表示するか、または選択的に表示しない制御を行う。
【００２５】
このような構成により、たとえば、複数種類のアイコンが互いに重なったり密集したりしている場合に、画面上に表示されるアイコンの種類を限定することができるため、視認性をより高めることができる。
【００２６】
（８）本発明の実施の形態に係る画面情報処理方法は、画面情報処理装置における画面情報処理方法であって、複数のセンサの位置をそれぞれ示す複数のアイコンを画面に表示する予定である場合に、前記画面における各前記アイコンの重なり度合いまたは密集度を評価するステップと、前記重なり度合いまたは前記密集度の評価内容に応じて前記各アイコンをまとめた別のアイコンである補助アイコンを前記画面に表示する制御を行うステップとを含む。
【００２７】
このような構成により、たとえば、所定エリアにおける複数のセンサが集中して配置されるような場合に、当該所定エリアを示す画面において集中する複数のアイコンをまとめて別のアイコンとして表示することができる。これにより、たとえば、アイコン同士が重ならないように表示したり、アイコン同士の距離をある程度確保したりすることができる。したがって、所定エリアにおけるセンサの位置を示すアイコンを画面に表示する構成において、視認性を向上させることができる。
【００２８】
（９）本発明の実施の形態に係る画面情報処理プログラムは、画面情報処理装置において用いられる画面情報処理プログラムであって、コンピュータに、複数のセンサの位置をそれぞれ示す複数のアイコンを画面に表示する予定である場合に、前記画面における各前記アイコンの重なり度合いまたは密集度を評価するステップと、前記重なり度合いまたは前記密集度の評価内容に応じて前記各アイコンをまとめた別のアイコンである補助アイコンを前記画面に表示する制御を行うステップとを実行させるためのプログラムである。
【００２９】
このような構成により、たとえば、所定エリアにおける複数のセンサが集中して配置されるような場合に、当該所定エリアを示す画面において集中する複数のアイコンをまとめて別のアイコンとして表示することができる。これにより、たとえば、アイコン同士が重ならないように表示したり、アイコン同士の距離をある程度確保したりすることができる。したがって、所定エリアにおけるセンサの位置を示すアイコンを画面に表示する構成において、視認性を向上させることができる。
【００３０】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００３１】
＜第１の実施の形態＞
［構成および基本動作］
図１は、本発明の第１の実施の形態に係る監視システムの構成を示す図である。
【００３２】
図１を参照して、監視システム１０１は、複数のセンサ１１と、画面情報処理装置１２と、ディスプレイ１３とを備える。
【００３３】
各センサ１１は、温度センサ、湿度センサおよび赤外線センサ等であり、工場、病院または店舗等の監視対象エリアに配置される。監視対象エリアは、屋内であってもよいし、屋外であってもよい。
【００３４】
監視対象エリアが工場である場合、各センサ１１は、たとえば、生産設備の温度および湿度等を計測する。センサ１１は、計測結果および自己のＩＤを示すセンサ情報を画面情報処理装置１２へ送信する。
【００３５】
画面情報処理装置１２は、各センサ１１と有線または無線により接続されており、各センサ１１からセンサ情報を受信する。画面情報処理装置１２は、受信したセンサ情報の内容をディスプレイ１３に表示することができる。
【００３６】
図２は、本発明の第１の実施の形態に係る監視システムの比較例において、ディスプレイに表示された画面の一例を示す図である。
【００３７】
図２を参照して、画面は、表示エリアＤ１１と、表示エリアＤ１２とを含む。表示エリアＤ１１には、監視対象エリアである工場の平面図が表示されている。具体的には、表示エリアＤ１１には、監視対象エリアに配置された複数の生産設備の外形、およびセンサ１１を示すアイコン（以下、センサアイコンとも称する。）が表示されている。
【００３８】
詳細には、表示エリアＤ１１には、生産ラインであるラインＡ〜Ｄの外形と、生産設備Ａ〜Ｃの外形と、温度センサのセンサアイコンＴ１〜Ｔ１５と、湿度センサのセンサアイコンＨ１〜Ｈ１１と、赤外線センサのセンサアイコンＲ１〜Ｒ２０とが表示されている。センサアイコンは、温度センサ、湿度センサまたは赤外線センサの別すなわちセンサ１１の種類ごとに異なる形状を有している。
【００３９】
表示エリアＤ１２には、表示エリアＤ１１において表示されているセンサアイコンの種類と、センサ１１の種類との対応関係が表示されている。
【００４０】
ユーザは、表示エリアＤ１１に表示されたセンサアイコンに対して、たとえば、マウスを用いてクリック操作を行うことにより、当該センサアイコンに対応するセンサ１１のセンサ情報の内容を画面に表示させることができる。
【００４１】
ここで、表示エリアＤ１１において点線で示す部分Ｐｈ１〜Ｐｈ３および部分Ｐｖ１〜Ｐｖ３では、複数のセンサアイコンが重なってまたは密集して表示されている。
【００４２】
具体的には、画面の部分Ｐｈ１〜Ｐｈ３にそれぞれ該当する監視対象エリアにおける場所では、各センサ１１は、高さ方向においてある程度同じ位置に、かつ水平方向において集中して配置されている。このため、画面の部分Ｐｈ１〜Ｐｈ３では各センサアイコンが重なってまたは密集して表示されている。
【００４３】
また、画面の部分Ｐｖ１〜Ｐｖ３にそれぞれ該当する監視対象エリアにおける場所では、各センサ１１は、水平方向において略同じ位置に、かつ高さ方向において異なる位置に配置されている。このため、画面の部分Ｐｖ１〜Ｐｖ３では、各センサアイコンが重なってまたは密集して表示されている。
【００４４】
複数のセンサアイコンが重なってまたは密集して表示されている場合、ユーザは、各センサアイコンの位置関係および種類を正確に認識することが困難な場合がある。また、ユーザは、センサアイコンが重なってまたは密集して表示されていることにより、所望のセンサアイコンに対して的確にクリック操作を行うことが困難な場合がある。
【００４５】
そこで、本発明の第１の実施の形態に係る監視システムでは、以下のような処理により、このような課題を解決する。
【００４６】
図３は、本発明の第１の実施の形態に係る監視システムにおいて、ディスプレイに表示された画面の一例を示す図である。
【００４７】
図３を参照して、画面は、表示エリアＤ１と、表示エリアＤ２とを含む。図３に示す画面の表示内容は、以下に説明する内容以外は、図２に示す画面の表示内容と同様である。
【００４８】
表示エリアＤ１では、図２における表示エリアＤ１１と比較して、部分Ｐｈ１，Ｐｈ２，Ｐｈ３に含まれる各センサアイコンの代わりに補助アイコンＥ１，Ｅ２，Ｅ３がそれぞれ表示されている。
【００４９】
また、部分Ｐｖ１，Ｐｖ２，Ｐｖ３に含まれる各センサアイコンの代わりに補助アイコンＶ１，Ｖ２，Ｖ３がそれぞれ表示されている。
【００５０】
つまり、図２に示す画面における部分Ｐｈ１，Ｐｈ２，Ｐｈ３に含まれる各センサアイコンは、図３に示す画面では、補助アイコンＥ１，Ｅ２，Ｅ３にそれぞれまとめられている。
【００５１】
また、図２に示す画面における部分Ｐｖ１，Ｐｖ２，Ｐｖ３に含まれる各センサアイコンは、図３に示す画面では、補助アイコンＶ１，Ｖ２，Ｖ３にそれぞれまとめられている。
【００５２】
ここで、部分Ｐｈ１に含まれる各センサアイコンに対応するセンサ１１をまとめたセンサグループ、部分Ｐｈ２に含まれる各センサアイコンに対応するセンサ１１をまとめたセンサグループおよび部分Ｐｈ３に含まれる各センサアイコンに対応するセンサ１１をまとめたセンサグループをそれぞれセンサグループＧｅ１，Ｇｅ２，Ｇｅ３とも称する。
【００５３】
補助アイコンＥ１，Ｅ２，Ｅ３は、センサグループＧｅ１，Ｇｅ２，Ｇｅ３をそれぞれ示している。センサグループＧｅ１〜Ｇｅ３の各々に含まれる各センサ１１は、高さ方向においてある程度同じ位置に、かつ水平方向において集中して配置されている。
【００５４】
また、部分Ｐｖ１に含まれる各センサアイコンに対応するセンサ１１をまとめたセンサグループ、部分Ｐｖ２に含まれる各センサアイコンに対応するセンサ１１をまとめたセンサグループおよび部分Ｐｖ３に含まれる各センサアイコンに対応するセンサ１１をまとめたセンサグループをそれぞれセンサグループＧｖ１，Ｇｖ２，Ｇｖ３とも称する。
【００５５】
補助アイコンＶ１，Ｖ２，Ｖ３は、センサグループＧｖ１，Ｇｖ２，Ｇｖ３をそれぞれ示している。センサグループＧｖ１〜Ｇｖ３の各々に含まれる各センサ１１は、水平方向において略同じ位置に、かつ高さ方向において異なる位置に配置されている。
【００５６】
センサグループＧｅ１〜Ｇｅ３等のセンサグループＧｅと、センサグループＧｖ１〜Ｇｖ３等のセンサグループＧｖとは、異なる種類の補助アイコンによって区別して表示されている。これにより、補助アイコンに対応する各センサ１１の各種位置関係をユーザに区別して認識させることができる。
【００５７】
補助アイコンには、まとめられたセンサアイコンの数が付されている。具体的には、たとえば、補助アイコンＥ１は、センサアイコンＨ３〜Ｈ５およびセンサアイコンＴ４〜Ｔ６の６つのセンサアイコンをまとめた補助アイコンである。このため、補助アイコンＥ１には、「６」が付されている。
【００５８】
補助アイコンＥ２は、センサアイコンＨ６，Ｈ７、センサアイコンＴ９〜Ｔ１１およびセンサアイコンＲ１２〜Ｒ１４の８つのセンサアイコンをまとめた補助アイコンである。このため、補助アイコンＥ２には、「８」が付されている。
【００５９】
また、補助アイコンＥ３は、センサアイコンＴ７，Ｔ８およびセンサアイコンＲ１０，Ｒ１１の４つのセンサアイコンをまとめた補助アイコンである。このため、補助アイコンＥ３には、「４」が付されている。
【００６０】
また、補助アイコンＶ１は、センサアイコンＲ１８，１９およびセンサアイコンＨ９，Ｈ１０の４つのセンサアイコンをまとめた補助アイコンである。このため、補助アイコンＶ１には、「４」が付されている。
【００６１】
また、補助アイコンＶ２は、センサアイコンＴ１２およびセンサアイコンＲ２０の２つのセンサアイコンをまとめた補助アイコンである。このため、補助アイコンＶ２には、「２」が付されている。
【００６２】
また、補助アイコンＶ３は、センサアイコンＲ１６，１７およびセンサアイコンＴ１４の３つのセンサアイコンをまとめた補助アイコンである。このため、補助アイコンＶ３には、「３」が付されている。
【００６３】
表示エリアＤ２には、図２における表示エリアＤ１２と比較して、さらに、補助アイコンの種類とセンサグループの種類との対応関係が表示されている。
【００６４】
図４は、本発明の第１の実施の形態に係る監視システムにおいて、ディスプレイに表示された画面の他の例を示す図である。
【００６５】
図４を参照して、画面は、表示エリアＤ１と、表示エリアＤ２と、表示エリアＷ１０とを含む。表示エリアＷ１０は、表示エリアＤ１上に重ねて表示されている。
【００６６】
表示エリアＷ１０は、たとえば、ユーザが補助アイコンＥ１に対してクリック等の操作を行ったことにより表示されたウィンドウである。表示エリアＷ１０には、補助アイコンＥ１によってまとめられた各センサアイコンに対応するセンサ１１、つまり補助アイコンＥ１に対応するセンサ１１の情報がリスト化されて表示されている。
【００６７】
具体的には、表示エリアＷ１０には、各センサ１１の「種類」、「名称」および「計測結果」が表示されている。
【００６８】
図５は、本発明の第１の実施の形態に係る監視システムにおいて、ディスプレイに表示された画面の他の例を示す図である。
【００６９】
図５を参照して、画面は、表示エリアＤ１と、表示エリアＤ２と、表示エリアＷ１１とを含む。表示エリアＷ１１は、表示エリアＤ１上に重ねて表示されている。
【００７０】
表示エリアＷ１１は、たとえば、図３に示す画面において、ユーザが補助アイコンＥ１に対してクリック操作等を行ったことにより表示されたウィンドウである。表示エリアＷ１１には、補助アイコンＥ１に対応する各センサ１１の配置エリアの拡大図が、補助アイコンＥ１に対応する各センサアイコンとともに表示されている。
【００７１】
図６は、本発明の第１の実施の形態に係る監視システムにおいて、ディスプレイに表示された画面の他の例を示す図である。
【００７２】
図６を参照して、画面は、表示エリアＤ１と、表示エリアＤ２と、表示エリアＷ１２とを含む。表示エリアＷ１２は、表示エリアＤ１上に重ねて表示されている。
【００７３】
表示エリアＷ１２は、たとえば、図３に示す画面において、ユーザが補助アイコンＶ１に対してクリック操作等を行ったことにより表示されたウィンドウである。表示エリアＷ１２には、補助アイコンＶ１に対応する各センサ１１の配置エリアの側面図が、補助アイコンＶ１に対応する各センサアイコンとともに表示されている。
【００７４】
［画面情報処理装置の初期設定］
以下、画面情報処理装置１２の初期設定の一例について説明する。
【００７５】
ユーザは、まず、監視対象エリアに配置されている生産設備を画面情報処理装置１２に登録する。具体的には、たとえば、ユーザは、マウスを用いて、平面視した生産設備の外形を画面上に描き、当該生産設備の高さを画面情報処理装置１２に入力する。ユーザは、各生産設備の形状の詳細を入力することも可能である。そして、ユーザは、生産設備が表示された画面にセンサアイコンを配置する。
【００７６】
図７は、本発明の第１の実施の形態に係る監視システムにおいて、ディスプレイに表示された画面の他の例を示す図である。
【００７７】
図７は、ユーザが画面にセンサアイコンを配置する様子を示している。図７を参照して、画面は、表示エリアＤ２１と、表示エリアＤ２２とを含む。表示エリアＤ２１には、登録された生産設備の外形、および配置済みのセンサアイコンが表示されている。
【００７８】
ユーザは、監視対象エリアにおいて実際に配置されているセンサ１１の場所および種類を確認し、確認した内容に従ってセンサアイコンを配置する。具体的には、たとえば、ユーザは、表示エリアＤ２２に表示された赤外線センサのセンサアイコンを、表示エリアＤ２１における所望の位置Ｐ１へドラッグし、位置Ｐ１においてドロップする。これにより、ユーザは、センサアイコンを画面において配置することができる。
【００７９】
図８は、本発明の第１の実施の形態に係る監視システムにおいて、ディスプレイに表示された画面の他の例を示す図である。
【００８０】
図８は、ユーザが画面にセンサアイコンを配置する様子を示している。図８を参照して、画面は、表示エリアＤ２１と、表示エリアＤ２２と、表示エリアＷ２３とを含む。表示エリアＷ２３は、表示エリアＤ２１上に重ねて表示されている。
【００８１】
ユーザは、たとえば、集中して配置されている各センサ１１に対応するセンサアイコンを画面に配置する場合、各センサ１１の配置されているエリアの拡大図を画面に表示することができる。
【００８２】
表示エリアＷ２３には、センサ１１が集中して配置されているエリアの拡大図が表示されている。ユーザは、たとえば、表示エリアＤ２２に表示された湿度センサのセンサアイコンを、表示エリアＷ２３における所望の位置Ｐ２へドラッグし、位置Ｐ２においてドロップする。これにより、ユーザは、集中して配置されているセンサ１１に対応するセンサアイコンを画面において配置することができる。表示エリアＷ２３において配置されたセンサアイコンは、表示エリアＤ２１にも反映される。
【００８３】
ユーザは、たとえば、画面にセンサアイコンを配置した後、当該センサアイコンに対応するセンサ１１の、監視対象エリアにおける配置高さおよび名称を画面情報処理装置１２に入力する。
【００８４】
また、ユーザは、配置したセンサアイコンと、監視対象エリアにおいて実際に配置されているセンサ１１とを対応付ける。
【００８５】
具体的には、たとえば、画面情報処理装置１２は、ユーザによる操作を受けて、画面上のセンサアイコンとセンサ１１との対応関係を示す対応情報を作成する。
【００８６】
また、画面情報処理装置１２は、対応情報と、ユーザによって入力された監視対象エリアにおける各センサ１１の配置高さおよび名称と、画面に配置された各センサアイコンの座標および種類とに基づいて、センサ設定情報を作成する。
【００８７】
センサ設定情報は、各センサ１１の、名称、種類、監視対象エリアにおける配置位置、配置高さおよび対応するセンサアイコンを示す。
【００８８】
また、画面情報処理装置１２は、ユーザによる生産設備の登録内容を示す設備登録情報を作成する。設備登録情報は、生産設備の、平面視した場合の外形、高さ、および監視対象エリアにおける配置位置等を示す。なお、画面情報処理装置１２は、設備登録情報を他の装置から取得する構成であってもよい。
【００８９】
図９は、本発明の第１の実施の形態に係る監視システムにおける画面情報処理装置の構成を示す図である。
【００９０】
図９を参照して、画面情報処理装置１２は、取得部２１と、処理部２２と、評価部２３と、表示制御部２４と、受付け部２５と、記憶部２６とを備える。
【００９１】
記憶部２６には、たとえば、ユーザによる初期設定に基づいて作成されたセンサ設定情報および設備登録情報が保存されている。
【００９２】
取得部２１は、定期的または不定期に各センサ１１から計測結果を示すセンサ情報を取得し、取得した各センサ情報を処理部２２へ出力する。処理部２２は、取得部２１から受けたセンサ情報を記憶部２６に保存する。
【００９３】
評価部２３は、複数のセンサ１１の位置をそれぞれ示す複数のセンサアイコンを画面に表示する予定である場合に、当該画面における各センサアイコンの重なり度合いまたは密集度を評価する。
【００９４】
具体的には、評価部２３は、記憶部２６に保存されているセンサ設定情報および設備登録情報に基づいて、各センサアイコンをまとめていない画面の情報である仮画面情報を作成する。評価部２３は、作成した仮画面情報に基づいて、たとえば図２における部分Ｐｈ１〜Ｐｈ３および部分Ｐｖ１〜Ｐｖ３のようにセンサアイコンが重なってまたは密集して表示される部分を検出する。そして、評価部２３は、検出した部分についてセンサアイコンの重なり度合いまたは密集度を評価する。
【００９５】
たとえば、評価部２３は、仮画面情報の示す画面における、センサアイコン同士の重なり部分の面積等に基づいて重なり度合いを評価する。
【００９６】
また、たとえば、評価部２３は、仮画面情報の示す画面における単位面積当たりのセンサアイコンの数に基づいて、センサアイコンの密集度の評価を行う。
【００９７】
評価部２３は、評価内容をたとえば数値で表してもよいし、レベルで表してもよい。評価部２３は、たとえば、センサアイコンの重なり度合いの評価内容および仮画面情報を処理部２２へ出力する。
【００９８】
なお、評価部２３は、単に、センサアイコン同士の重なりの有無に基づいて、重なり度合いを評価してもよい。
【００９９】
表示制御部２４は、評価部２３による評価内容に応じて各センサアイコンをまとめた補助アイコンを画面に表示する制御を行う。また、たとえば、表示制御部２４は、まとめたセンサアイコンの数を付した補助アイコンを表示する制御を行う。
【０１００】
詳細には、処理部２２は、たとえば、評価部２３から受けた評価内容および仮画面情報に基づいて、重なってまたは密集して表示される各センサアイコンを補助アイコンにまとめるべきか否かを判断する。
【０１０１】
たとえば、処理部２２は、評価部２３から受けた評価内容の示す値が所定の閾値より大きい場合、当該評価内容の対象である各センサアイコンを補助アイコンにまとめると判断する。
【０１０２】
処理部２２は、各センサアイコンを補助アイコンにまとめると判断した場合、記憶部２６に保存されているセンサ設定情報に基づいて、どの種類の補助アイコンを用いるかを判断する。
【０１０３】
具体的には、処理部２２は、補助アイコンとして、補助アイコンＥ１〜Ｅ３等の補助アイコンＥを用いるか、または補助アイコンＶ１〜Ｖ３等の補助アイコンＶを用いるかを判断する。
【０１０４】
たとえば、１つの補助アイコンにまとめるべき各センサアイコンに対応するセンサ１１が、いずれも同程度の配置高さを有する場合、処理部２２は、補助アイコンとして補助アイコンＥを用いると判断する。
【０１０５】
また、たとえば、１つの補助アイコンにまとめるべき各センサアイコンに対応するセンサ１１の配置高さが、ある程度ばらついている場合、処理部２２は、補助アイコンとして補助アイコンＶを用いると判断する。
【０１０６】
処理部２２は、記憶部２６に保存されているセンサ設定情報および設備登録情報ならびに自己の判断内容に基づいて、たとえば図３に示す画面の情報である画面情報Ｇを作成する。当該画面において、補助アイコンＥおよび補助アイコンＶには、各々を用いてまとめられたセンサアイコンの数が付される。
【０１０７】
表示制御部２４は、処理部２２から受けた画面情報Ｇをディスプレイ１３へ送信することにより、補助アイコンをディスプレイ１３の画面に表示する。
【０１０８】
表示制御部２４は、たとえば、画面においてセンサアイコンがクリック操作等により指定された場合に、当該センサアイコンに対応するセンサ情報を画面に表示する制御を行う。
【０１０９】
詳細には、受付け部２５は、ユーザがディスプレイ１３の画面に対して行った操作を受け付ける。たとえば、図３に示す画面において、ユーザがセンサアイコンＴ１に対してクリック操作Ｃを行った場合、受付け部２５は、センサアイコンＴ１に対するクリック操作Ｃを受け付け、受け付けた内容を示す操作情報を処理部２２へ出力する。
【０１１０】
処理部２２は、受付け部２５から当該操作情報を受けると、たとえば、センサ設定情報を記憶部２６から取得する。そして、処理部２２は、取得したセンサ設定情報に基づいて、センサアイコンＴ１に対応するセンサ１１のセンサ情報を記憶部２６から取得し、取得したセンサ情報を表示制御部２４へ出力する。
【０１１１】
表示制御部２４は、処理部２２からセンサ情報を受けると、既にディスプレイ１３に表示されている画面に当該センサ情報の内容を追加表示する制御を行う。
【０１１２】
［リストの表示］
また、表示制御部２４は、たとえば、画面において、クリック操作等により補助アイコンが指定された場合に、当該補助アイコンに対応するセンサの情報のリストを表示する制御を行う。
【０１１３】
詳細には、たとえば、図３に示す画面において、ユーザが補助アイコンＥ１に対してクリック操作Ｃ１たとえばマウスの左ボタンのシングルクリックを行った場合、受付け部２５は、補助アイコンＥ１に対するクリック操作Ｃ１を受け付け、受け付けた内容を示す操作情報を処理部２２へ出力する。
【０１１４】
処理部２２は、受付け部２５から当該操作情報を受けると、補助アイコンＥ１に対応する各センサ１１からのセンサ情報およびセンサ設定情報を記憶部２６から取得する。そして、処理部２２は、取得したセンサ情報およびセンサ設定情報に基づいて、補助アイコンＥ１に対応する各センサ１１の情報をリスト化したリスト情報を作成する。たとえば、リスト情報は、補助アイコンＥ１に対応する各センサ１１の、種類、名称および計測結果を含む。処理部２２は、作成したリスト情報を表示制御部２４へ出力する。
【０１１５】
表示制御部２４は、処理部２２からリスト情報を受けると、たとえば、既にディスプレイ１３に表示されている画面にリスト情報の内容を追加表示する制御を行う。
【０１１６】
具体的には、たとえば、表示制御部２４は、処理部２２からリスト情報を受けると、図３に示す画面に図４に示す表示エリアＷ１０を重ねて表示する制御を行う。
【０１１７】
［拡大表示］
また、表示制御部２４は、たとえば、画面において補助アイコンがクリック操作等により指定された場合に、当該補助アイコンに対応する各センサ１１の配置エリアの拡大図を、当該補助アイコンに対応する各センサアイコンとともに表示する制御を行う。
【０１１８】
詳細には、たとえば、ユーザが図３に示す画面において、補助アイコンＥ１に対してクリック操作Ｃ２すなわちクリック操作Ｃ１とは異なる操作、たとえばマウスの左ボタンのダブルクリックを行った場合、受付け部２５は、補助アイコンＥ１に対するクリック操作Ｃ２を受け付け、受け付けた内容を示す操作情報を処理部２２へ出力する。
【０１１９】
処理部２２は、受付け部２５から当該操作情報を受けると、センサ設定情報および設備登録情報を記憶部２６から取得する。そして、処理部２２は、取得したセンサ設定情報および設備登録情報に基づいて、補助アイコンＥ１に対応する各センサ１１の配置エリアの拡大図、および当該拡大図において配置された、補助アイコンＥ１に対応する各センサアイコンを示す画面情報Ｉｚを作成する。処理部２２は、作成した画面情報Ｉｚを表示制御部２４へ出力する。
【０１２０】
具体的には、表示制御部２４は、処理部２２から画面情報Ｉｚを受けると、たとえば、既にディスプレイ１３に表示されている画面に画面情報Ｉｚを追加表示する制御を行う。
【０１２１】
より具体的には、たとえば、表示制御部２４は、画面情報Ｉｚを受けると、図３に示す画面に、図５に示す表示エリアＷ１１を重ねて表示する制御を行う。
【０１２２】
［側面図の表示］
また、表示制御部２４は、たとえば、各センサ１１の配置エリアの平面図が表示された画面において補助アイコンがクリック操作等により指定された場合に、当該補助アイコンに対応する各センサ１１の配置エリアの側面図を対応の各センサアイコンとともに表示する制御を行う。
【０１２３】
詳細には、たとえば、監視対象エリアの平面図が表示された図３に示す画面において、ユーザが補助アイコンＶ１に対してクリック操作Ｃ３すなわちクリック操作Ｃ１およびクリック操作Ｃ２とは異なる操作、たとえばマウスの右ボタンのシングルクリックを行った場合、受付け部２５は、補助アイコンＶ１に対するクリック操作Ｃ３を受け付け、受け付けた内容を示す操作情報を処理部２２へ出力する。
【０１２４】
処理部２２は、受付け部２５から当該操作情報を受けると、センサ設定情報および設備登録情報を記憶部２６から取得する。そして、処理部２２は、取得したセンサ設定情報および設備登録情報に基づいて、補助アイコンＶ１に対応する各センサ１１の配置エリアの側面図、および当該側面図上に配置された、補助アイコンＶ１に対応する各センサアイコンを示す画面情報Ｉｓを作成する。処理部２２は、作成した画面情報Ｉｓを表示制御部２４へ出力する。
【０１２５】
具体的には、表示制御部２４は、処理部２２から画面情報Ｉｓを受けると、たとえば、既にディスプレイ１３に表示されている画面に画面情報Ｉｓを追加表示する制御を行う。
【０１２６】
より具体的には、たとえば、表示制御部２４は、画面情報Ｉｓを受けると、図３に示す画面に、図６に示す表示エリアＷ１２を重ねて表示する制御を行う。
【０１２７】
［動作］
次に、本発明の第１の実施の形態に係る画面情報処理装置による表示処理について説明する。
【０１２８】
監視システム１０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１２９】
図１０は、本発明の第１の実施の形態に係る画面情報処理装置による表示処理の一例を示すフローチャートである。
【０１３０】
図１０を参照して、画面情報処理装置１２は、まず、複数のセンサ１１の位置をそれぞれ示す複数のセンサアイコンを画面に表示する予定である場合に、当該画面における各センサアイコンの重なり度合いまたは密集度の評価を行う（ステップＳ２１）。
【０１３１】
具体的には、画面情報処理装置１２は、図２に示す画面のように各センサアイコンをまとめずにそのまま表示した場合における、重なってまたは密集して表示されるセンサアイコンについて、重なり度合いまたは密集度を評価する。
【０１３２】
次に、画面情報処理装置１２は、上記評価の内容に応じて各センサアイコンをまとめた補助アイコンを画面に表示する制御を行う。具体的には、画面情報処理装置１２は、重なり度合いまたは密集度の評価内容に基づいて、重なってまたは密集して表示されるセンサアイコンを補助アイコンにまとめるか否かを判断する（ステップＳ２２）。
【０１３３】
そして、画面情報処理装置１２は、重なってまたは密集して表示されるセンサアイコンを補助アイコンにまとめると判断した場合（ステップＳ２２でＹＥＳ）、自己の記憶するセンサ設定情報および設備登録情報に基づいて、たとえば図３に示す、センサアイコンを補助アイコンにまとめた画面の情報である画面情報Ｇを作成し、作成した画面情報Ｇをディスプレイ１３に表示する制御を行う（ステップＳ２３）。
【０１３４】
一方、画面情報処理装置１２は、重なり度合いまたは密集度の評価内容に基づいて、重なってまたは密集して表示されるセンサアイコンを補助アイコンにまとめないと判断した場合（ステップＳ２２でＮＯ）、補助アイコンを表示しない画面情報Ｑを作成し、画面情報Ｑをディスプレイ１３に表示する制御を行う（ステップＳ２４）。
【０１３５】
図１１は、本発明の第１の実施の形態に係る画面情報処理装置による表示処理の他の例を示すフローチャートである。
【０１３６】
図１１を参照して、画面情報処理装置１２は、まず、ユーザから操作を受けるまで待機する（ステップＳ１３でＮＯ）。
【０１３７】
次に、画面情報処理装置１２は、ユーザから操作を受けた場合（ステップＳ１３でＹＥＳ）、ユーザによる操作が補助アイコンＥまたは補助アイコンＶに対するクリック操作Ｃ１であるか否かを確認する（ステップＳ１４）。
【０１３８】
次に、画面情報処理装置１２は、ユーザによる操作が補助アイコンＥまたは補助アイコンＶに対するクリック操作Ｃ１であった場合（ステップＳ１４でＹＥＳ）、クリック操作Ｃ１の行われた補助アイコンＥまたは補助アイコンＶに対応するセンサの情報のリストすなわちリスト情報を表示する制御を行う（ステップＳ１５）。
【０１３９】
具体的には、たとえば、画面情報処理装置１２は、図３に示す画面に図４に示す表示エリアＷ１０を重ねて表示する制御を行う。
【０１４０】
また、画面情報処理装置１２は、ユーザによる操作が補助アイコンＥまたは補助アイコンＶに対するクリック操作Ｃ１でなかった場合（ステップＳ１４でＮＯ）、当該操作が補助アイコンＥに対するクリック操作Ｃ２であったか否かを確認する（ステップＳ１６）。
【０１４１】
次に、画面情報処理装置１２は、ユーザによる操作が補助アイコンＥに対するクリック操作Ｃ２であった場合、（ステップＳ１６でＹＥＳ）、当該補助アイコンＥに対応する各センサ１１の配置エリアの拡大図を、当該補助アイコンＥに対応する各センサアイコンとともに表示する制御を行う（ステップＳ１７）。
【０１４２】
具体的には、たとえば、画面情報処理装置１２は、図３に示す画面に、図５に示す表示エリアＷ１１を重ねて表示する制御を行う。
【０１４３】
また、画面情報処理装置１２は、ユーザによる操作が補助アイコンＥに対するクリック操作Ｃ２でなかった場合（ステップＳ１６でＮＯ）、当該操作が補助アイコンＶに対するクリック操作Ｃ３であったか否かを確認する（ステップＳ１８）。
【０１４４】
次に、画面情報処理装置１２は、ユーザによる操作が補助アイコンＶに対するクリック操作Ｃ３であった場合（ステップＳ１８でＹＥＳ）、当該補助アイコンＶに対応する各センサ１１の配置エリアの側面図を、当該補助アイコンＶに対応する各センサアイコンとともに表示する制御を行う（ステップＳ１９）。
【０１４５】
具体的には、たとえば、表示制御部２４は、図３に示す画面に、図６に示す表示エリアＷ１２を重ねて表示する制御を行う。
【０１４６】
また、本発明の第１の実施の形態に係る画面情報処理装置１２において、表示制御部２４は、処理部２２からリスト情報を受けると、たとえば、既にディスプレイ１３に表示されている画面にリスト情報の内容を追加表示する制御を行う構成であるとしたが、これに限定するものではない。
【０１４７】
たとえば、表示制御部２４は、処理部２２からリスト情報を受けると、現在ディスプレイ１３に表示されている画面を、リスト情報を表示した新たな画面に切り替える制御を行う構成であってもよい。
【０１４８】
また、本発明の第１の実施の形態に係る画面情報処理装置１２において、表示制御部２４は、処理部２２から画面情報Ｉｚを受けると、既にディスプレイ１３に表示されている画面に画面情報Ｉｚを追加表示する制御を行う構成であるとしたが、これに限定するものではない。
【０１４９】
たとえば、表示制御部２４は、処理部２２から画面情報Ｉｚを受けると、現在ディスプレイ１３に表示されている画面を、画面情報Ｉｚを表示した新たな画面に切り替える制御を行う構成であってもよい。
【０１５０】
また、本発明の第１の実施の形態に係る監視システム１０１において、表示制御部２４は、処理部２２から画面情報Ｉｓを受けると、既にディスプレイ１３に表示されている画面に画面情報Ｉｓを追加表示する制御を行う構成であるとしたが、これに限定するものではない。
【０１５１】
たとえば、表示制御部２４は、処理部２２から画面情報Ｉｓを受けると、現在ディスプレイ１３に表示されている画面を、画面情報Ｉｓを表示した新たな画面に切り替える制御を行う構成であってもよい。
【０１５２】
また、本発明の第１の実施の形態に係る画面情報処理装置１２は、クリック操作によりセンサアイコンおよび補助アイコンの指定を受け付ける構成であるとしたが、これに限定するものではない。たとえば、ディスプレイ１３がタッチパネルを含む場合、画面情報処理装置１２は、ユーザのディスプレイ１３へのタップ等によりセンサアイコンおよび補助アイコンの指定を受け付ける構成であってもよい。
【０１５３】
また、本発明の第１の実施の形態に係る画面情報処理装置１２は、ユーザによるクリック操作等を受けてリスト情報を作成する構成であるとしたが、これに限定するものではない。たとえば、リスト情報は、他の装置によって作成されてもよいし、メモリに予め保存されていてもよい。
【０１５４】
ところで、所定エリアにおける監視対象の状態をモニタするために、当該所定エリアにおけるセンサの配置を画面に表示する場合がある。このような場合において、複数のセンサが集中して配置されていると、当該複数のセンサをそれぞれ示す複数のアイコンが画面上で重なり合ったり、密集したりするため、視認性が悪くなってしまう。
【０１５５】
これに対して、本発明の第１の実施の形態に係る画面情報処理装置では、評価部２３は、複数のセンサ１１の位置をそれぞれ示す複数のセンサアイコンを画面に表示する予定である場合に、当該画面における各センサアイコンの重なり度合いまたは密集度を評価する。表示制御部２４は、評価部２３による評価内容に応じて各センサアイコンをまとめた別のアイコンである補助アイコンを画面に表示する制御を行う。
【０１５６】
このような構成により、たとえば、所定エリアにおける複数のセンサ１１が集中して配置されるような場合に、当該所定エリアを示す画面において集中する複数のセンサアイコンをまとめて別のアイコンとして表示することができる。これにより、たとえば、センサアイコン同士が重ならないように表示したり、センサアイコン同士の距離をある程度確保したりすることができる。
【０１５７】
したがって、本発明の第１の実施の形態に係る画面情報処理装置では、所定エリアにおけるセンサの位置を示すアイコンを画面に表示する構成において、視認性を向上させることができる。
【０１５８】
また、本発明の第１の実施の形態に係る画面情報処理装置では、取得部２１は、センサ１１の計測結果を示すセンサ情報を取得する。表示制御部２４は、画面においてセンサアイコンが指定された場合に当該センサアイコンに対応するセンサ情報を画面に表示する制御を行う。
【０１５９】
このような構成により、ユーザは、所望するセンサ１１のセンサ情報を容易に確認することができる。
【０１６０】
また、本発明の第１の実施の形態に係る画面情報処理装置では、表示制御部２４は、まとめたセンサアイコンの数を付した補助アイコンを表示する制御を行う。
【０１６１】
このような構成により、ユーザは、どれくらいの数のセンサアイコンが補助アイコンにまとめられたのかを特別な操作を行うことなく一見して認識することができる。
【０１６２】
また、本発明の第１の実施の形態に係る画面情報処理装置では、表示制御部２４は、画面において補助アイコンが指定された場合に、当該補助アイコンに対応する各センサ１１の配置エリアの拡大図を対応の各センサアイコンとともに表示する制御を行う。
【０１６３】
このような構成により、ユーザは、補助アイコンにまとめられた各センサアイコンを上記拡大図において確認することができるため、各センサアイコンの詳細な位置を認識することができる。
【０１６４】
また、本発明の第１の実施の形態に係る画面情報処理装置では、表示制御部２４は、各センサ１１の配置エリアの平面図が表示された画面において補助アイコンが指定された場合に、当該補助アイコンに対応する各センサ１１の配置エリアの側面図を対応の各センサアイコンとともに表示する制御を行う。
【０１６５】
このような構成により、たとえば、水平方向において略同じ位置に、かつ高さ方向において異なる位置に配置されている複数のセンサ１１に対応するセンサアイコンが補助アイコンにまとめられているような場合において、ユーザは、当該補助アイコンにまとめられた各センサアイコンを上記側面図において確認することができるため、各センサアイコンの詳細な位置を認識することができる。
【０１６６】
また、本発明の第１の実施の形態に係る画面情報処理装置では、表示制御部２４は、画面において補助アイコンが指定された場合に、補助アイコンに対応する各センサ１１の情報のリストを表示する制御を行う。
【０１６７】
このような構成により、ユーザは、補助アイコンに対応する複数のセンサ１１に関する情報を一覧することができる。
【０１６８】
次に、本発明の他の実施の形態について図面を用いて説明する。なお、図中同一または相当部分には同一符号を付してその説明は繰り返さない。
【０１６９】
＜第２の実施の形態＞
本発明の実施の形態は、第１の実施の形態に係る監視システムと比べて、画面の表示内容が異なる監視システムに関する。
【０１７０】
［構成および基本動作］
図１２は、本発明の第２の実施の形態に係る監視システムにおいて、ディスプレイに表示された画面の一例を示す図である。
【０１７１】
図１２を参照して、画面は、表示エリアＤ１１と、表示エリアＤ１２とを含んでいる。表示エリアＤ１１には、監視対象エリアである工場の平面図が表示されている。具体的には、表示エリアＤ３１には、監視対象エリアに配置された複数の生産設備の外形、およびセンサアイコンが表示されている。
【０１７２】
詳細には、表示エリアＤ１１には、生産ラインであるラインＡ〜Ｄの外形と、生産設備Ａ〜Ｃの外形と、温度センサのセンサアイコンＴ１〜Ｔ１５とが表示されている。
【０１７３】
表示エリアＤ１２には、表示エリアＤ１１において表示されているセンサアイコンの種類と、センサ１１の種類との対応関係が表示されている。
【０１７４】
図１２に示す画面は、たとえば図２に示す画面において、表示エリアＤ１２に表示されたセンサアイコンのうち、温度センサのセンサアイコンに対してユーザがクリック操作Ｃ１０たとえばマウスの右ボタンのダブルクリックを行ったことにより表示された画面である。
【０１７５】
表示エリアＤ１２に表示されたセンサアイコンのうちのいずれかに対してユーザがクリック操作Ｃ１０を行った場合、表示エリアＤ１１において、クリック操作Ｃ１０の行われたセンサアイコンの種類と異なる種類のセンサアイコンは非表示となる。言い換えれば、表示エリアＤ１１において、指定された種類のセンサ１１に対応するセンサアイコンが選択的に表示される。
【０１７６】
ここでは、表示エリアＤ１２に表示された温度センサのセンサアイコンに対してクリック操作Ｃ１０が行われたため、表示エリアＤ１１には、温度センサのセンサアイコンであるセンサアイコンＴ１〜Ｔ１５が表示されており、かつ湿度センサのセンサアイコンＨ１〜Ｈ１１および赤外線センサのセンサアイコンＲ１〜Ｒ２０は表示されていない。
【０１７７】
図１３は、本発明の第２の実施の形態に係る画面情報処理装置の構成を示す図である。
【０１７８】
図１３を参照して、画面情報処理装置１２は、取得部２１と、評価部２３と、記憶部２６と、処理部１２２と、表示制御部１２４と、受付け部１２５とを備える。
【０１７９】
すなわち、画面情報処理装置１２は、本発明の第１の実施の形態に係る画面情報処理装置１２と比べて、処理部２２、表示制御部２４および受付け部２５の代わりに、さらに以下に説明する動作を行うことが可能な処理部１２２、表示制御部１２４および受付け部１２５をそれぞれ備えている。
【０１８０】
表示制御部１２４は、画面において指定された種類のセンサ１１に対応するセンサアイコンを選択的に表示する制御を行う。
【０１８１】
詳細には、たとえば、図２に示す画面において、表示エリアＤ１２に表示されたセンサアイコンのうち、温度センサのセンサアイコンに対してユーザがクリック操作Ｃ１０を行った場合、受付け部１２５は、当該センサアイコンに対するクリック操作Ｃ１０を受け付け、受け付けた内容を示す操作情報を処理部１２２へ出力する。
【０１８２】
処理部１２２は、受付け部２５から当該操作情報を受けると、たとえば図１２に示す画面の情報である画面情報Ｇ２を作成する。
【０１８３】
具体的には、処理部１２２は、当該操作情報を受けると、現在の画面における表示エリアＤ１１に表示された複数種類のセンサアイコンのうち、クリック操作Ｃ１０の行われたセンサアイコンと同じ種類のセンサアイコンを選択的に表示した画面の情報である画面情報Ｇ２を作成する。そして、処理部１２２は、作成した画面情報Ｇ２を表示制御部１２４へ出力する。
【０１８４】
表示制御部１２４は、処理部１２２から受けた画面情報Ｇ２をディスプレイ１３へ送信することにより、温度センサのセンサアイコンを選択的に表示する制御を行う。
【０１８５】
なお、本発明の第２の実施の形態に係る画面情報処理装置１２において、表示制御部１２４は、画面において指定された種類のセンサ１１に対応するセンサアイコンを選択的に表示する制御を行う構成であるとしたが、これに限定するものではない。たとえば、表示制御部１２４は、画面において指定された種類のセンサ１１に対応するセンサアイコンを選択的に表示しない制御を行う構成であってもよい。
【０１８６】
具体的には、たとえば、図２に示す画面において、Ｄ１２に表示された温度センサのセンサアイコンが指定された場合、表示制御部１２４は、表示エリアＤ１１において温度センサのセンサアイコンであるセンサアイコンＴ１〜Ｔ１５を表示せず、かつ湿度センサのセンサアイコンＨ１〜Ｈ１１および赤外線センサのセンサアイコンＲ１〜Ｒ２０を表示する制御を行ってもよい。
【０１８７】
以上のように、本発明の第２の実施の形態に係る画面情報処理装置では、表示制御部２４は、画面において指定された種類のセンサ１１に対応するセンサアイコンを選択的に表示するか、または選択的に表示しない制御を行う。
【０１８８】
このような構成により、たとえば、複数種類のセンサアイコンが互いに重なったり密集したりしている場合に、画面上に表示されるセンサアイコンの種類を限定することができるため、視認性をより高めることができる。
【０１８９】
その他の構成および動作は第１の実施の形態に係る画面情報処理装置と同様であるため、ここでは詳細な説明を繰り返さない。
【０１９０】
次に、本発明の他の実施の形態について図面を用いて説明する。なお、図中同一または相当部分には同一符号を付してその説明は繰り返さない。
【０１９１】
＜第３の実施の形態＞
本発明の実施の形態は、第１の実施の形態に係る監視システムと比べて、画面に表示される補助アイコンが１種類である監視システムに関する。
【０１９２】
図１４は、本発明の第３の実施の形態に係る監視システムの比較例において、ディスプレイに表示された画面の一例を示す図である。
【０１９３】
図１４を参照して、画面は、表示エリアＤ１１と、表示エリアＤ１２とを含む。表示エリアＤ１１には、監視対象エリアである工場の平面図が表示されている。具体的には、表示エリアＤ１１には、監視対象エリアに配置された複数の生産設備の外形、およびセンサ１１を示すセンサアイコンが表示されている。
【０１９４】
詳細には、表示エリアＤ１１には、生産ラインであるラインＡ〜Ｄの外形と、生産設備Ａ〜Ｃの外形と、温度センサのセンサアイコンＴ１〜Ｔ１５と、湿度センサのセンサアイコンＨ１〜Ｈ１１と、赤外線センサのセンサアイコンＲ１〜Ｒ２０とが表示されている。センサアイコンは、温度センサ、湿度センサまたは赤外線センサの別すなわちセンサ１１の種類ごとに異なる形状を有している。
【０１９５】
表示エリアＤ１２には、表示エリアＤ１１において表示されているセンサアイコンの種類と、センサ１１の種類との対応関係が表示されている。
【０１９６】
ユーザは、表示エリアＤ１１に表示されたセンサアイコンに対して、たとえば、マウスを用いてクリック操作を行うことにより、当該センサアイコンに対応するセンサ１１のセンサ情報の内容を画面に表示させることができる。
【０１９７】
ここで、表示エリアＤ１１において点線で示す部分Ｐｈ１〜Ｐｈ６では、複数のセンサアイコンが重なってまたは密集して表示されている。
【０１９８】
具体的には、画面の部分Ｐｈ１〜Ｐｈ３にそれぞれ該当する監視対象エリアにおける場所では、各センサ１１は、上方から見た場合に集中して配置されている。このため、画面の部分Ｐｈ１〜Ｐｈ６では各センサアイコンが重なってまたは密集して表示されている。なお、各センサ１１は、高さ方向においてある程度同じ位置に配置されていてもよいし、高さ方向において異なる位置に配置されていてもよい。
【０１９９】
図１５は、本発明の第３の実施の形態に係る監視システムにおいて、ディスプレイに表示された画面の一例を示す図である。
【０２００】
図１５を参照して、画面は、表示エリアＤ１と、表示エリアＤ２とを含む。図１５に示す画面の表示内容は、以下に説明する内容以外は、図１４に示す画面の表示内容と同様である。
【０２０１】
表示エリアＤ１では、図１４における表示エリアＤ１１と比較して、部分Ｐｈ１，Ｐｈ２，Ｐｈ３，Ｐｈ４，Ｐｈ５，Ｐｈ６に含まれる各センサアイコンの代わりに補助アイコンＥ１，Ｅ２，Ｅ３，Ｅ４，Ｅ５，Ｅ６がそれぞれ表示されている。
【０２０２】
補助アイコンＥ１，Ｅ２，Ｅ３，Ｅ４，Ｅ５，Ｅ６の各々に対応する各センサ１１は、上方から見た場合に集中して配置されている。
【０２０３】
各補助アイコンＥには、まとめられたセンサアイコンの数が付されている。具体的には、たとえば、補助アイコンＥ１は、センサアイコンＨ３〜Ｈ５およびセンサアイコンＴ４〜Ｔ６の６つのセンサアイコンをまとめた補助アイコンである。このため、補助アイコンＥ１には、「６」が付されている。
【０２０４】
補助アイコンＥ２は、センサアイコンＨ６，Ｈ７、センサアイコンＴ９〜Ｔ１１およびセンサアイコンＲ１２〜Ｒ１４の８つのセンサアイコンをまとめた補助アイコンである。このため、補助アイコンＥ２には、「８」が付されている。
【０２０５】
また、補助アイコンＥ３は、センサアイコンＴ７，Ｔ８およびセンサアイコンＲ１０，Ｒ１１の４つのセンサアイコンをまとめた補助アイコンである。このため、補助アイコンＥ３には、「４」が付されている。
【０２０６】
また、補助アイコンＥ４は、センサアイコンＲ１８，１９およびセンサアイコンＨ９，Ｈ１０の４つのセンサアイコンをまとめた補助アイコンである。このため、補助アイコンＥ４には、「４」が付されている。
【０２０７】
また、補助アイコンＥ５は、センサアイコンＴ１２およびセンサアイコンＲ２０の２つのセンサアイコンをまとめた補助アイコンである。このため、補助アイコンＥ５には、「２」が付されている。
【０２０８】
また、補助アイコンＥ６は、センサアイコンＲ１６，１７およびセンサアイコンＴ１４の３つのセンサアイコンをまとめた補助アイコンである。このため、補助アイコンＥ６には、「３」が付されている。
【０２０９】
たとえば、画面情報処理装置１２は、ユーザが補助アイコンＥに対してクリック操作Ｃ１たとえばマウスの左ボタンのシングルクリックを行った場合、当該補助アイコンＥに対応するセンサの情報のリストすなわちリスト情報を表示する制御を行う。
【０２１０】
具体的には、たとえば、画面情報処理装置１２は、図１５に示す画面に図４に示す表示エリアＷ１０を重ねて表示する制御を行う。
【０２１１】
また、画面情報処理装置１２は、たとえば、ユーザが補助アイコンＥに対してクリック操作Ｃ２すなわちクリック操作Ｃ１とは異なる操作、たとえばマウスの左ボタンのダブルクリックを行った場合、当該補助アイコンＥに対応する各センサ１１の配置エリアの拡大図を、当該補助アイコンＥに対応する各センサアイコンとともに表示する制御を行う。
【０２１２】
具体的には、たとえば、画面情報処理装置１２は、図１５に示す画面に、図５に示す表示エリアＷ１１を重ねて表示する制御を行う。
【０２１３】
また、画面情報処理装置１２は、たとえば、ユーザが補助アイコンＥに対してクリック操作Ｃ３すなわちクリック操作Ｃ１およびクリック操作Ｃ２とは異なる操作、たとえばマウスの右ボタンのシングルクリックを行った場合、当該補助アイコンＥに対応する各センサ１１の配置エリアの側面図を、当該補助アイコンＥに対応する各センサアイコンとともに表示する制御を行う。
【０２１４】
具体的には、たとえば、画面情報処理装置１２は、図１５に示す画面に、図６に示す表示エリアＷ１２を重ねて表示する制御を行う。
【０２１５】
その他の構成および動作は第１の実施の形態に係る画面情報処理装置と同様であるため、ここでは詳細な説明を繰り返さない。
【０２１６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２１７】
以上の説明は、以下に付記する特徴を含む。
【０２１８】
［付記］
複数のセンサの位置をそれぞれ示す複数のアイコンを画面に表示する予定である場合に、前記画面における各前記アイコンの重なり度合いまたは密集度を評価する評価部と、
前記評価部による評価内容に応じて前記各アイコンをまとめた別のアイコンである補助アイコンを前記画面に表示する制御を行う表示制御部とを備え、
前記アイコンの前記画面における配置は、所定エリアにおける対応の前記センサの配置を示し、
前記表示制御部は、複数の種類の補助アイコンを表示する制御を行うことが可能であり、
前記表示制御部は、高さ方向において略同じ位置に、かつ水平方向において集中して配置されている各前記センサに対応する前記アイコンをまとめた補助アイコンを表示する場合と、水平方向において略同じ位置に、かつ高さ方向において異なる位置に配置されている各前記センサに対応する前記アイコンをまとめた補助アイコンを表示する場合とで、異なる種類の補助アイコンを表示する制御を行う、画面情報処理装置。
【符号の説明】
【０２１９】
１１  センサ
１２  画面情報処理装置
１３  ディスプレイ
２１  取得部
２２  処理部
２３  評価部
２４  表示制御部
２５  受付け部
２６  記憶部
１０１  監視システム
１２２  処理部
１２４  表示制御部
１２５  受付け部
Ｄ１，Ｄ２，Ｄ１１，Ｄ１２，Ｄ２１，Ｄ２２，Ｄ３１，Ｗ１０〜Ｗ１２，Ｗ２３  表示エリア
Ｅ１〜Ｅ６，Ｖ１〜Ｖ３  補助アイコン
Ｔ１〜Ｔ１５，Ｈ１〜Ｈ１１，Ｒ１〜Ｒ２０  センサアイコン
【図１】
0006507719.tif 000002
【図２】
0006507719.tif 000003
【図３】
0006507719.tif 000004
【図４】
0006507719.tif 000005
【図５】
0006507719.tif 000006
【図６】
0006507719.tif 000007
【図７】
0006507719.tif 000008
【図８】
0006507719.tif 000009
【図９】
0006507719.tif 000010
【図１０】
0006507719.tif 000011
【図１１】
0006507719.tif 000012
【図１２】
0006507719.tif 000013
【図１３】
0006507719.tif 000014
【図１４】
0006507719.tif 000015
【図１５】
0006507719.tif 000016